(57)【特許請求の範囲】
【請求項１】
開閉可能な扉を備えた扉開閉装置において、
前記扉の一端部側を開閉自在に支持するための扉支持部と、
前記扉支持部と間隔を隔てて該扉支持部に対して所定の角度の傾斜を有して設けられ、前記扉の他端部側を受ける扉受け部と、
前記扉支持部と前記扉受け部との間に開口され、前記扉によって開閉される開口部と、
前記扉の一端部側と前記扉支持部との間で、一方側に軸が取り付けられ、且つ、他方側に長孔が形成されて、前記軸と前記長孔とで軸孔嵌合する第１支点と、
前記扉の一端部と他端部との間に設けられ、前記扉受け部に接離する第２支点と、を備え、
前記扉のうちで前記第２支点よりも前記他端部側を前記扉受け部の傾斜角度に対応して屈曲させており、前記扉を開いたときに、前記第１支点における前記軸と前記長孔との軸孔嵌合により前記扉の開き角度を広げることを特徴とする扉開閉装置。
【請求項２】
前記扉を閉じるときには、前記第１支点を中心に前記扉の一端部側を閉じ方向に回動して前記第２支点を前記扉受け部に当接させた後に、前記第２支点を中心に前記扉の他端部側の自重により該扉を閉じ方向に回動させることを特徴とする請求項１に記載の扉開閉装置。
【請求項３】
前記開口部は、前記扉支持部側に開口された第１開口部と、この第１開口部に対して角度傾斜を有して前記扉受け部側に開口された第２開口部とからなり、
前記扉は、前記第１開口部を閉じる第１面と、この第１面に対して前記所定の角度の傾斜に対応して屈曲され、前記第２開口部を隙間無く閉じる第２面とを有することを特徴とする請求項１又は２に記載の扉開閉装置。
【請求項４】
前記第２面に連接するとともに前記第２面に対して上方に屈曲され、扉の他端部側を構成する第３面を有することを特徴とする請求項３に記載の扉開閉装置。
【発明の詳細な説明】
【技術分野】
【０００１】
本発明は、開口部を開閉する扉を有し、扉を閉じたときに開口部の近傍に扉を密着させて、扉と開口部との間で隙間の発生を防止でき、且つ、扉を開いたときに扉の開き角度を広げることができる扉開閉装置に関する。
【背景技術】
【０００２】
一般的に、扉開閉装置は、各種の装置や機器に適用されており、例えば、適宜な装置の装置本体に形成した開口部を扉で開閉している。
【０００３】
この種の扉開閉装置を適用した装置の一例として、外付けの付属装置が接続可能に構成され、且つ、用紙のジャム処理などに利用される開口部を開閉する扉を有した画像形成装置がある（例えば、特許文献１参照）。
【０００４】
また、電子機器に適用される扉開閉装置がある（例えば、特許文献２参照）。
【０００５】
まず、特許文献１に記載された画像形成装置は、ここでの図示を省略するが、外付けの付属装置が接続可能に構成されており、具体的には画像形成装置の右側面側に大容量給紙装置が接続され、且つ、画像形成装置の左側面側に後処理装置が接続されている。
【０００６】
また、画像形成装置の右側面及び左側面には、ジャム用紙除去用又はサービス部品交換用の開口部がそれぞれ形成されており、各開口部がそれぞれ扉により開閉可能になっている。
【０００７】
そして、大容量給紙装置又は後処理装置を画像形成装置の右側面又は左側面から退避させて扉を開けたときに、開口部からジャム用紙など取り出したり、又は、サービス部品の交換などを行うことができるようになっている。
【０００８】
この際、扉を周知のヒンジ部材（蝶番）で開閉自在に支持すると、扉の開閉スペースが大きくなることから、この特許文献１では、扉を画像形成装置の正面手前側に引くように、扉を接続面に平行な方向に案内する案内手段を開口部の上下に設けている。
【０００９】
上記により、用紙のジャム処理に際し、蝶番方式の扉を設けた画像形成装置に比較して、付属装置を退避させる距離が短くて済み、画像形成装置の周囲に確保する使用スペースを小さくできると共に、ジャム処理の作業性の向上を図ることができると記載されている。
【００１０】
次に、特許文献２に記載された扉開閉装置では、ここでの図示を省略するが、扉に同軸的に設けられた一対のヒンジ部を有し、このヒンジ部を枢軸として扉を開閉する際、ヒンジ部は、扉とこの扉を取付けるための被取付体のいずれか一方に形成された円柱状のヒンジピンと、扉と被取付体の他方に形成されてヒンジピンを受けるヒンジ穴とを備え、ヒンジピン端面とヒンジ穴の受け面を斜面としている。
【００１１】
これにより、扉を閉じたときにはヒンジピンとヒンジ穴の対向する斜面が平行に接するようにし、扉を開いたときには対向する斜面が相対的に平行状態から徐々に角度変化するようにしてダンパー作用を生じるようにしていると記載されている。
【先行技術文献】
【特許文献】
【００１２】
【特許文献１】特開２００９−１４９６９号公報
【特許文献２】特開２００３−２０９３７３号公報
【発明の概要】
【発明が解決しようとする課題】
【００１３】
ところで、特許文献１に記載の画像形成装置では、前述したように、給紙時又は排紙時に用紙ジャムが発生した場合に、画像形成装置の右側面側又は左側面側の開口部に設けた扉を開いて開口部内に人手を進入させる必要がある。そのために、外付けの付属装置をジャム処理動作に支障のない位置まで退避させねばならないので、付属装置の移動に伴う余計な作業が発生し、ジャム処理時間が長くかかり問題である。
【００１４】
また、特許文献２に記載の扉開閉装置では、一対のヒンジ部におけるヒンジピンとヒンジ穴とにそれぞれ斜面を形成することで、ヒンジ部のガタツキによる扉の開閉動作の不具合を解消することができる。
【００１５】
しかしながら、特許文献２に記載の扉開閉装置では、一対のヒンジ部におけるヒンジピンとヒンジ穴とにそれぞれ斜面を加工する作業が困難である。また、扉を閉めたときに開口部に対して隙間なく扉を閉める機能は備えてなく、更に、扉を開いたときに扉の開き角度を広げるような機能を備えていないので、これらの要求を満たすことができる扉開閉装置が望まれている。
【００１６】
そこで、開口部を開閉する扉を有した扉開閉装置を、例えば、外付けの付属装置が接続可能に構成された画像形成装置に適用した場合に、外付けの付属装置を移動させずに扉の開閉ができる扉開閉装置が望まれている。更に、扉を閉じたときに開口部の近傍に扉を密着させて、扉と開口部との間で隙間の発生を防止でき、且つ、扉を開いたときに扉の開き角度を広げることができる簡易な構造の扉開閉装置を提供することを目的とする。
【課題を解決するための手段】
【００１７】
本発明は上記課題に鑑みてなされたものであり、第１の発明は、開閉可能な扉を備えた扉開閉装置において、
前記扉の一端部側を開閉自在に支持するための扉支持部と、
前記扉支持部と間隔を隔てて該扉支持部に対して所定の角度傾斜して設けられ、前記扉の他端部側を受ける扉受け部と、
前記扉支持部と前記扉受け部との間に開口され、前記扉によって開閉される開口部と、
前記扉の一端部側と前記扉支持部との間で、一方側に軸が取り付けられ、且つ、他方側に長孔が形成されて、前記軸と前記長孔とで軸孔嵌合する第１支点と、
前記扉の一端部と他端部との間の中間部位に設けられ、前記扉受け部に接離する第２支点と、を備え、
前記扉のうちで前記第２支点よりも前記他端部側を前記扉受け部の傾斜角度に対応して屈曲させており、前記扉を開いたときに、前記第１支点における前記軸と前記長孔との軸孔嵌合により前記扉の開き角度を広げることを特徴とする扉開閉装置である。
【００１８】
また、第２の発明は、開閉可能な扉を備えた扉開閉装置において、
前記扉の一端部側を開閉自在に支持するための扉支持部と、
前記扉支持部と間隔を隔てて設けられ、前記扉の他端部側を受ける扉受け部と、
前記扉支持部と前記扉受け部との間に開口され、前記扉によって開閉される開口部と、
前記扉の一端部側と前記扉支持部との間で、一方側に軸が取り付けられ、且つ、他方側に長孔が形成されて、前記軸と前記長孔とで軸孔嵌合する第１支点と、
前記扉の一端部と他端部との間の中間部位に設けられ、前記扉受け部に接離する第２支点と、を備え、
前記第１支点を中心にして前記扉の一端部側を閉じ方向に回動して前記第２支点を前記扉受け部に当接させた後に、前記第２支点を中心にして前記扉の他端部側の自重により該扉を閉じ方向に回動させることを特徴とする扉開閉装置である。
【発明の効果】
【００１９】
第１の発明の扉開閉装置によれば、この扉開閉装置を例えば画像形成システムに適用した場合、扉を開いたときに、第１支点における軸と長孔との軸孔嵌合により扉の開き角度を広げることができるので、画像形成システム内で生じたジャム用紙の除去作業が容易であると共に、サービス品の交換作業もし易くなる。また、扉のうちで第２支点よりも他端部側を扉受け部の傾斜角度に対応して屈曲させているので、扉を閉じたときに扉の他端部側を扉受け部に良好に接触させることができる。
【００２０】
また、第２の発明の扉開閉装置によれば、第１支点を中心にして扉の一端部側を閉じ方向に回動して第２支点を扉受け部に当接させた後に、第２支点を中心にして扉の他端部側の自重により扉を閉じ方向に回動させているので、扉支持部と扉受け部との間に開口された開口部を扉により隙間なく閉じることができるために、閉扉時に開口部内に異物が入り込むのを確実に防止できる。
【図面の簡単な説明】
【００２１】
【図１】本発明に係る扉開閉装置を適用した画像形成システムを示した構成図である。
【図２】本発明に係る扉開閉装置を斜視的に示しており、（ａ）は扉開閉装置内の扉を開いた状態を示した図であり、（ｂ）は扉を閉じた状態を示した図である。
【図３】本発明に係る扉開閉装置において、（ａ），（ｂ）は実施形態の扉を示した斜視図，側面図である。
【図４】本発明に係る扉開閉装置において、実施形態の扉を一部変形させた変形例の扉を示した斜視図である。
【図５】本発明に係る扉開閉装置において、閉扉時に扉を受ける扉受け部を示した斜視図である。
【図６】（ａ）〜（ｃ）は本発明に係る扉開閉装置の動作を説明するための動作図である。
【図７】本発明に係る扉開閉装置を画像形成システムに適用した際に、給紙ジャム処理を行うときの第１動作図である。
【図８】本発明に係る扉開閉装置を画像形成システムに適用した際に、給紙ジャム処理を行うときの第２動作図である。
【図９】本発明に係る扉開閉装置を画像形成システムに適用した際に、給紙ジャム処理を行うときの第３動作図である。
【図１０】本発明に係る扉開閉装置を画像形成システムに適用した際に、給紙ジャム処理を行うときの第４動作図である。
【発明を実施するための形態】
【００２２】
以下に本発明に係る扉開閉装置を実施する形態について、図１〜図１０を参照して詳細に説明する。
【００２３】
本発明の一実施形態に係る扉開閉装置は、装置内に形成した開口部を開閉する扉を有しており、各種の装置や機器に適用可能であるが、この実施形態では、一例として、外付けの付属装置が接続可能に構成された画像形成システムに適用した場合について以下説明する。
【００２４】
［実施形態］
図１は本発明に係る扉開閉装置を適用した画像形成システムの構成を示している。
【００２５】
図１に示す如く、本発明に係る扉開閉装置５０は、外付けの付属装置が接続可能に構成された画像形成システム１０に適用されている。
【００２６】
上記した画像形成システム１０は、例えば、インクジェット印刷方式や孔版印刷方式とか、複写方式などにより用紙上に画像を形成する画像形成装置２０と、この画像形成装置２０に大量の用紙を順次給紙する大容量給紙装置３０と、画像形成装置２０で形成された画像形成済みの用紙に対してステーブル処理やパンチング処理とか裁断処理などの後処理を行うマルチ後処理装置４０とで構成されている。
【００２７】
この際、画像形成装置２０の第１装置本体２１の左側面２１ａ側に大容量給紙装置３０が着脱可能に接続され、且つ、第１装置本体２１の右側面２１ｂ側にマルチ後処理装置４０が着脱可能に接続されている。
【００２８】
尚、画像形成装置２０の第１装置本体２１と、大容量給紙装置３０の第２装置本体３１と、マルチ後処理装置４０の第３装置本体４１は、それぞれ別体に形成されているが、これに限定されるものではなく、第１装置本体２１内に大容量給紙装置３０の構成部材やマルチ後処理装置４０の構成部材を一体的に設けることも可能である。
【００２９】
一方、本発明に係る扉開閉装置５０は、例えば、画像形成装置２０の第１装置本体２１の左側面２１ａ側と、大容量給紙装置３０の第２装置本体３１の右上方部位３１ａとの間に設置されている。
【００３０】
尚、扉開閉装置５０において、第１装置本体２１の左側面２１ａは、後述する扉開閉装置５０内に設けた扉支持部５１として機能し、第２装置本体３１の右上方部位３１ａは、扉開閉装置５０内に設けた扉受け部５２として機能している。
【００３１】
そして、扉開閉装置５０は、例えば、大容量給紙装置３０により用紙を画像形成装置２０に向けて給紙したときに何らかの理由により給紙ジャムが発生した場合に、この扉開閉装置５０内に形成した開口部に対して開閉可能に設けた扉５３を開いてジャム用紙ＪＰ（図７〜図１０）を人手ＨＤ（図２，図９，図１０）により取り除くために設けられている。
【００３２】
勿論、画像形成装置２０で画像が形成された画像形成済みの用紙をマルチ後処理装置４０に向けて搬送するときにジャムが発生する場合に対応して、両装置２０，４０間に本発明の扉開閉装置（５０）相当を設けることも可能であるが、この場合の図示を省略する。
【００３３】
ここで、本発明に係る扉開閉装置５０の構成について、図２〜図５を用いて具体的に説明する。
【００３４】
図２は本発明に係る扉開閉装置を斜視的に示しており、（ａ）は扉を開いた状態を示し、（ｂ）は扉を閉じた状態を示している。また、図３は本発明に係る扉開閉装置において、（ａ）は実施形態の扉を斜視的に示し、（ｂ）は実施形態の扉の側面を示している。また、図４は本発明に係る扉開閉装置において、実施形態の扉を一部変形させた変形例の扉を斜視的に示している。更に、図５は本発明に係る扉開閉装置において、閉扉時に扉を受ける扉受け部を斜視的に示している。
【００３５】
まず、図２（ａ）に示す如く、本発明に係る扉開閉装置５０では、板金板を用いて第１開口部５１ａを貫通して形成した扉支持部５１と、板金板を用いて第２開口部５２ａを貫通して形成した扉受け部５２とが、第１，第２開口部５１ａ，５２ａ同士を互い対向させて間隔を隔てて設けられている。この際、扉支持部５１は、略水平な扉受け部５２に対して所定の角度αだけ傾斜して設けられている。
【００３６】
従って、扉支持部５１と扉受け部５２との間には、第１開口部５１ａと第２開口部５２ａとを合わせた開口部（５１ａ＋５２ａ）が大きく形成されていることになる。
【００３７】
上記した扉支持部５１は、先に図１を用いて説明した画像形成装置２０の第１装置本体２１の左側面２１ａと対応しているものであり、この左側面２１ａを一部分拡大して符番５１を付して図示しているものである。
【００３８】
一方、上記した扉受け部５２は、先に図１を用いて説明した大容量給紙装置３０の第２装置本体３１の右上方部位３１ａと対応しているものであり、この右上方部位３１ａを一部分拡大して符番５２を付して図示しているものである。
【００３９】
この際、扉支持部５１に形成した第１開口部５１ａの幅Ｗ１は、扉５３の幅Ｗ２より僅かに幅広く形成されている。
【００４０】
従って、扉支持部５１は、第１開口部５１ａ内に扉５３の一端部側の幅方向の両側が進入し、この扉５３の一端部側の両側を支持する機能を備えている。
【００４１】
一方、扉受け部５２は、扉５３のうちで一端部と他端部との間の中間部から他端部までの間を接離自在に受ける機能を備えており、第２開口部５２ａの除いた上面５２ｂが平坦に形成されている。
【００４２】
また、扉受け部５２に形成した第２開口部５２ａの幅Ｗ３は、扉５３の幅Ｗ２より幅狭く形成されているが、後述するようにジャム用紙ＪＰ（図７〜図１０）を取り除くために人手ＨＤが進入できるサイズに形成されている。
【００４３】
そして、図２（ａ）に示したように、扉５３を開いたときには、扉支持部５１の第１開口部５１ａ及び扉受け部５２の第２開口部５２ａが共に開いて、第１，第２開口部５１ａ，５２ａ内に人手ＨＤを進入させることができる。このときに、扉５３の開き角度を広げることができるように扉開閉装置５０が構成されているが、これについては後で詳述する。
【００４４】
一方、図２（ｂ）に示したように、扉５３を閉じたときには、扉支持部５１の第１開口部５１ａ及び扉受け部５２の第２開口部５２ａが共に閉じられる。このときに、扉５３の他端部側を扉受け部５２の第２開口部５２ａの近傍の上面５２ｂ上に密着させて、扉５３と扉受け部５２の第２開口部５２ａとの間で隙間の発生を防止できるように扉開閉装置５０が構成されているが、これについても後で詳述する。
【００４５】
次に、図３（ａ），（ｂ）に示す如く、実施形態の扉５３は、厚みが略１ｍｍ程度の板金材を用いて、この扉５３の幅方向と直交する長手方向の一端部側から他端部側に向かって、補強用突出片５３ａと、下向きに傾斜させた第１面（第１傾斜面）５３ｂと、第１面５３ｂに対して扉受け部５２の所定の傾斜角度α｛図２（ａ）｝と対応して屈曲させた第２面（水平面）５３ｃと、第２面５３ｃに対して上向きに傾斜させた第３面（第２傾斜面）５３ｄとが上記順に連接して幅Ｗ２で形成されている。
【００４６】
この際、扉５３の補強用突出片５３ａは、第１面５３ｂの一端から略直角に上方に向かって低い高さＨで曲げ形成されており、この補強用突出片５３ａにより第１面５３ｂの一端側の剛性を高めている。
【００４７】
また、扉５３の第１面５３ｂは、補強用突出片５３ａの下端と交わった一端から他端までの長さがＬ１で、下方に向かって傾斜しながら第２面５３ｃの一端と交わっており、この第１面５３ｂは先に図２を用いて説明した扉支持部５１の第１開口部５１ａを閉じる機能を有している。
【００４８】
また、扉５３の第２面５３ｃは、第１面５３ｂと交わった一端から他端までの長さがＬ２で、第１面５３ｂに対して略水平に屈曲した状態を保ちながら第３面５３ｄの一端と交わっており、この第２面５３ｃは先に図２を用いて説明した扉受け部５２の第２開口部５２ａを除いた上面５２ｂに密着して第２開口部５２ａを閉じる機能を有している。
【００４９】
また、扉５３の第３面５３ｄは、第２面５３ｃと交わった一端から上方に向かって傾斜しながら短い長さＬ３に形成されており、この第３面５３ｄはユーザが把持する取っ手として機能している。
【００５０】
また、扉５３は、第１面５３ｂの幅方向の両端部をそれぞれ下方に向けて略直角に曲げて一対の側面５３ｅ，５３ｆが形成されており、且つ、一対の側面５３ｅ，５３ｆの各一端部側に一対の長孔５３ｅ１，（５３ｆ１…図示せず）が貫通して下方に向かって縦長く形成されている。
【００５１】
また、扉５３の一対の側面５３ｅ，５３ｆの各一端部側に形成した一対の長孔５３ｅ１，（５３ｆ１）内に扉５３の幅方向に沿って長尺に形成した１本の軸５４が遊嵌されている。
【００５２】
そして、１本の軸５４は、一対の長孔５３ｅ１，（５３ｆ１）の外側に不図示のＥリングをそれぞれ嵌め込んで軸抜けを図った上で、この軸５４の両端部５４ａ，５４ｂが扉支持部５１の第１開口部５１ａ内の両側に設けた一対の軸支持部５１ｂ，５１ｃに固定支持されている。
【００５３】
従って、扉５３の一対の側面５３ｅ，５３ｆに形成した一対の長孔５３ｅ１，（５３ｆ１）と、一対の軸支持部５１ｂ，５１ｃに固定支持された軸５４とが、扉５３の一端部側の両側を扉支持部５１に開閉自在に支持する一対の第１支点として機能している。
【００５４】
また、扉５３の一対の側面５３ｅ，５３ｆの他端側の各下部５３ｅ２，（５３ｆ２…図示せず）は、扉５３の第２面５３ｃの延長線に沿って略水平に切り欠かれており、これらの下部５３ｅ２，（５３ｆ２）は先に図２を用いて説明した扉受け部５２の上面５２ｂに接離自在であり、且つ、これらの下部５３ｅ２，（５３ｆ２）が扉受け部５２の上面５２ｂ上に当接したときに扉５３の第２，第３面５３ｃ，５３ｄを閉じ方向に回動させる一対の第２支点として機能している。
【００５５】
言い換えると、一対の第２支点は、扉５３の一端部と他端部との間の中間部位の幅方向の両側に設けられており、扉受け部５２に対して接離自在になっている。
【００５６】
更に、扉５３の第２面５３ｃ上の右側には、ブラケット５５が溶接されている。このブラケット５５は、上方に向かう傾斜片５５ａが開扉時に扉支持部５１に取り付けた第１マグネット５６（図９,図１０）に磁気吸引されるようになっており、且つ、下方に向かう突出片５５ｂが第２面５３ｃに形成した矩形孔５３ｃ１を通り抜けて閉扉時に扉受け部５２の上面５２ｂに形成した位置決め孔５２ｂ１（図５）に嵌合して位置決めされるようになっている。
【００５７】
この際、図３に示した実施形態の扉５３を一部変形させて、図４に示した変形例の扉５３’を用いても良い。
【００５８】
図４に示した変形例の扉５３’では、先に図３を用いて説明した実施形態の扉５３と同様に、この扉５３’の幅方向と直交する長手方向の一端部側から他端部側に向かって、補強用突出片５３ａと、下向きに傾斜させた第１面（第１傾斜面）５３ｂと、略水平な第２面（水平面）５３ｃと、上向きに傾斜させた第３面（第２傾斜面）５３ｄとが上記順に連接して形成されている点は同じであるが、扉５３’の第１面５３ｂの幅方向の一対の側面５３ｅ，５３ｆの各一端部側に設けられる一対の第１支点の構造形態が実施形態に対して異なっている。
【００５９】
即ち、扉５３’の一対の側面５３ｅ，５３ｆの各一端部側には、一対の軸５４Ｌ，５４Ｒが外側に突出した状態で取付けられている。
【００６０】
一方、扉支持部５１の第１開口部５１ａ内の両側には、上記した一対の軸５４Ｌ，５４Ｒが遊嵌する一対の長孔５１ｄ，５１ｅが下方に向かって縦長く形成されている。
【００６１】
従って、扉５３’の一対の側面５３ｅ，５３ｆに取付けられた一対の軸５４Ｌ，５４Ｒと、扉支持部５１に形成した一対の長孔５１ｄ，５１ｅとが、扉５３’を扉支持部５１に開閉自在に支持する一対の第１支点として機能している。
【００６２】
上記した実施形態の扉５３、又は、変形例の扉５３’の各構造から一対の第１支点は、扉５３又は５３’の一端部側の両側と、扉支持部５１との間で、一方側に軸（５４）又は軸（５４Ｌ，５４Ｒ）が取り付けられ、且つ、他方側に長孔（５３ｅ１，５３ｆ１）又は長孔（５１ｄ，５１ｅ）が形成されていれば良いものである。
【００６３】
次に、図５に示す如く、扉受け部５２は、前述したように、ジャム用紙ＪＰ（図７〜図１０）を取り除くための第２開口部５２ａが形成され、且つ、平坦な上面５２ｂの外周部位が下方に折り曲げられて剛性を保っている。
【００６４】
また、扉受け部５２の上面５２ｂには、第２マグネット５７が埋め込まれ、且つ、第２マグネット５７の右方に位置決め孔５２ｂ１が形成されている。
【００６５】
そして、扉５３を閉じたときに、この扉５３の第２面５３ｃが第２マグネット５７により扉受け部５２の上面５２ｂ上に密着して磁気吸引されると共に、扉５３に溶接したブラケット５５の突出片５５ｂ（図３）が扉受け部５２の上面５２ｂに形成した位置決め孔５２ｂ１内に嵌合することで、扉５３が位置決めされている。
【００６６】
ここで、上記のように構成した本発明に係る扉開閉装置５０の動作について、図６（ａ）〜（ｃ）を用いて、扉５３の右側面５３ｅ側のみを図示して右側面５３ｅ側に対して説明し、この右側面５３ｅ側に対して対称に動作する左側面５３ｆ側についての説明を省略する。
【００６７】
図６（ａ）は扉を開いた状態を示し、図６（ｂ）は扉を閉じる途中の状態を示し、図６（ｃ）は扉を閉じた状態を示している。
【００６８】
まず、図６（ａ）に示す如く、扉支持部５１の軸支持部５１ｂに端部５４ａを支持した軸５４が扉５３の右側面５３ｅの一端部側に形成した長孔５３ｅ１内に遊嵌された状態で扉５３を開閉するための第１支点が構成されている。
【００６９】
そして、扉５３の他端部側に形成した第３面（取っ手）５３ｄを把持しながら第１支点となる軸５４を中心にして時計方向に扉５３を回動させると、扉５３の第２面５３ｃ及び第１面５３ｂが扉受け部５２の上面５２ｂから離間するので、扉５３が上方に向かって開く。
【００７０】
そして、扉５３が開いているときには、軸５４は長孔５３ｅ１内の上方に位置しており、且つ、扉支持部５１の第１開口部５１ａ及び扉受け部５２の第２開口部５２ａも当然開いているので、第１，第２開口部５１ａ，５２ａ内に人手を進入させることが可能になる。
【００７１】
次に、図６（ｂ）に示す如く、扉５３が開いている状態から軸５４を中心にして反時計方向に扉５３を回動させると、扉５３の第１〜第３面５３ｂ〜５３ｄが閉じ方向に移動する途中で、扉５３の右側面５３ｅの他端側の下部５３ｅ２が扉受け部５２の第２開口部５２ａの近傍の上面５２ｂ上に当接し、扉５３の第１面５３ｂによって扉支持部５１の第１開口部５１ａは閉じられる。
【００７２】
しかし、扉５３の第２面５３ｃは扉受け部５２の上面５２ｂに当接していないので、扉受け部５２の第２開口部５２ａは閉じられる寸前である。
【００７３】
そして、扉５３が閉じられる途中でも、軸５４は長孔５３ｅ１内の上方に位置している。
【００７４】
次に、図６（ｃ）に示す如く、扉５３を閉じている途中でこの扉５３の右側面５３ｅの他端側の下部５３ｅ２が扉受け部５２の第２開口部５２ａの近傍の上面５２ｂに当接すると、扉５３の右側面５３ｅの他端側の下部５３ｅ２が閉扉時の第２支点となる。
【００７５】
そして、この下部５３ｅ２を支点として、扉５３の第２，第３面５３ｃ，５３ｄがこれらの第２，第３面５３ｃ，５３ｄの自重によって反時計方向に回動し、扉５３の第１面５３ｂに対して屈曲した第２面５３ｃが扉受け部５２の上面５２ｂ上に密着して、扉５３の第２面５３ｃにより扉受け部５２の第２開口部５２ａを隙間なく閉じる。
【００７６】
このとき、扉５３の第１面５３ｂの一端部側がわずかに上方に移動するために、軸５４は長孔５３ｅ１内の下方に位置する。
【００７７】
従って、扉５３のうちで第２支点（下部５３ｅ２）よりも他端部側（第２面５３ｃ）を扉受け部５２の傾斜角度に対応して屈曲させたことにより、扉５３を閉じたときに扉５３の他端部側（第２面５３ｃ）を扉受け部５２の上面５２ｂ上に密着して良好に接触させることができるために、扉支持部５１と扉受け部５２との間に開口された開口部（５１ａ＋５２ａ）を扉５３により隙間なく閉じることができるので、閉扉時に開口部（５１ａ＋５２ａ）内に異物が入り込むのを確実に防止できる。
【００７８】
次に、本発明に係る扉開閉装置５０を画像形成システム１０に適用したときに、大容量給紙装置３０内で生じたジャム用紙ＪＰを除去する動作について、図７〜図１０を用いて、扉５３の右側面５３ｅ側のみを図示して、右側面５３ｅ側に対して説明する。
【００７９】
図７は扉開閉装置内の扉を閉じた状態を示している。また、図８は扉開閉装置内の扉を開き始めた状態を示している。図９は扉開閉装置内の扉を開いた状態を示している。更に、図１０は扉開閉装置内で開いた扉の開き角度を広げた状態を示している。
【００８０】
尚、図７〜図１０では、本発明に係る扉開閉装置５０を適用した画像形成システム１０において、大容量給紙装置３０から画像形成装置２０内に用紙を給紙する際、大容量給紙装置３０内に設けた給紙搬送路３２中で何らかの理由により給紙ジャムが発生し、給紙搬送路３２中にジャム用紙ＪＰが滞留している状態を示している。
【００８１】
まず、図７に示す如く、扉開閉装置５０内では、扉支持部５１の軸支持部５１ｂに端部５４ａを支持した軸５４が扉５３の右側面５３ｅの一端部側に形成した長孔５３ｅ１内に遊嵌している。
【００８２】
そして、扉５３が閉じているときには、扉５３の第２面５３ｃが扉受け部５２の上面５２ｂ上に第２マグネット５７により磁気吸引されていると共に、扉５３の第１，第２面５３ｂ，５３ｃにより扉支持部５１の第１開口部５１ａ及び扉受け部５２の第２開口部５２ａが閉じられている。
【００８３】
尚、図７中において、扉支持部５１は、先に図１を用いて説明した画像形成装置２０の第１装置本体２１の左側面２１ａと対応し、一方、扉受け部５２は、先に図１を用いて説明した大容量給紙装置３０の第２装置本体３１の右上方部位３１ａと対応している。
【００８４】
このとき、大容量給紙装置３０内に設けた給紙搬送路３２中で何らかの理由により給紙ジャムが発生すると、不図示の操作パネルによりジャム用紙ＪＰを除去するように警告が出される。
【００８５】
この警告を受けて、図８に示す如く、ユーザが扉５３の第３面（取っ手）５３ｄを持ち上げると、扉５３の右側面５３ｅの他端側の下部５３ｅ２が開扉時の第２支点となり、この下部５３ｅ２を支点として扉５３の第２面５３ｃが時計方向に回動し、扉５３の第２面５３ｃが扉受け部５２の上面５２ｂから離間する。
【００８６】
この後、図９に示す如く、ユーザが扉５３の第３面（取っ手）５３ｄを更に持ち上げると、第１支点となる軸支持部５１ｂに支持されている軸５４を中心にして扉５３が時計方向に回動して開かれて、扉５３の第２面５３ｃに溶接したブラケット５５が扉支持部５１に取り付けた第１マグネット５６に磁気吸引される。
【００８７】
このとき、軸５４は長孔５３ｅ１内の上方位置に位置しているために、扉５３の第１面５３ｂと、扉受け部５２の第２開口部５２ａの近傍の上面５２ｂとの間の間隔Ｋ１が狭いので、人手ＨＤによる作業がしにくい状態である。
【００８８】
しかしながら、図１０に示す如く、開いた扉５３の第２面５３ｃ側が扉支持部５１に取り付けた第１マグネット５６に磁気吸引されていても、扉支持部５１の軸支持部５１ｂに支持されている軸５４に対して扉５３の右側面５３ｅの一端部側に形成した長孔５３ｅ１は上下方向に移動可能であるので、人手ＨＤが扉５３の第１面５３ｂの裏面に接触することによりこの第１面５３ｂ側が上方に持ち上げられる。
【００８９】
そして、扉５３の第１面５３ｂ側が人手ＨＤにより上方に持ち上げられると、扉支持部５１の軸支持部５１ｂに支持されている軸５４が、扉５３の右側面５３ｅの一端部側に形成した長孔５３ｅ１内の下端に当接するので、扉５３の第１面５３ｂ側はこれ以上の上動が規制される。
【００９０】
これにより、扉５３の第１面５３ｂと、扉受け部５２の第２開口部５２ａの近傍の上面５２ｂとの間の間隔Ｋ２が広がり、人手ＨＤが扉５３の第１面５３ｂと扉受け部５２の第２開口部５２ａとの間に進入し易くなる。
【００９１】
従って、扉開閉装置５０を例えば画像形成システム１０に適用した場合、扉５３（又は、５３’）を開いたときに第１支点における軸と長孔との軸孔嵌合により扉５３（又は、５３’）の開き角度を広げることができるので、画像形成システム１０内で生じたジャム用紙ＪＰの除去作業が容易であると共に、サービス品の交換作業もし易くなる。
【００９２】
尚、大容量給紙装置３０内に設けた給紙搬送路３２中で給紙ジャムが生じたときに、給紙搬送路３２中の下側用紙ガイド板３３を回動軸３４を中心にして下方に開くことによって、ジャム用紙ＪＰをより一層容易に取り除くことができるようになっている。
【符号の説明】
【００９３】
１０…画像形成システム、
２０…画像形成装置、２１…第１装置本体、２１ａ…左側面、２１ｂ…右側面、
３０…大容量給紙装置、３１…第２装置本体、３１ａ…右上方部位、
３２…給紙搬送路、
４０…マルチ後処理装置、４１…第３装置本体、
５０…扉開閉装置、
５１…扉支持部、５１ａ…第１開口部、５１ｂ，５１ｃ…一対の軸支持部、
５１ｄ，５１ｅ…一対の長孔、
５２…扉受け部、５２ａ…第２開口部、５２ｂ…上面、
５３…実施形態の扉、５３’…実施形態の扉を一部変形させた変形例の扉、
５３ａ…補強用突出片、５３ｂ…第１面、５３ｃ…第２面、５３ｄ…第３面、
５３ｅ，５３ｆ…一対の側面、５３ｅ１，（５３ｆ１）…一対の長孔、
５３ｅ２，（５３ｆ２）…一対の側面５３ｅ，５３ｆの他端側の下部、
５４…軸、５４Ｌ，５４Ｒ…一対の軸、
５５…ブラケット、５６…第１マグネット、５７…第２マグネット、
ＨＤ…人手、ＪＰ…ジャム用紙。
【図１】
0006325382.tif 000002
【図２】
0006325382.tif 000003
【図３】
0006325382.tif 000004
【図４】
0006325382.tif 000005
【図５】
0006325382.tif 000006
【図６】
0006325382.tif 000007
【図７】
0006325382.tif 000008
【図８】
0006325382.tif 000009
【図９】
0006325382.tif 000010
【図１０】
0006325382.tif 000011